(57)【要約】      （修正有）【課題】操作性を良くし、しかも、構成が簡素で、製造し易く、経済的にも優れた装身用スライドパーツを提供する。【解決手段】装身用スライドパーツ１０は、中空の外郭体１に中空体外部２、中空部３及び中空体外部２へと通じる互いに対向する貫通孔４ａ、４ｂと、当該貫通孔の位置に対して、直交する位置に該貫通孔をまたぐ様に穿孔５ａ、５ｂを設けるとともに、穿孔を利用して中空体外部と中空部に突出した状態で環６を設ける。弾性体７ａ、７ｂは、挿通孔８ａ、８ｂを有するＯリング状の弾性ゴムを用いるとともに、弾性体は、環６を介して中空部３に配置してなる。【選択図】図２
0003156269.tif 000002
【実用新案登録請求の範囲】
【請求項１】
中空の外郭体内に弾性体を内蔵し、装飾用チェーン上を自由に摺動、且つ、途中で係止できることによりネックレス等の輪径を容易に変える事が可能な装身用スライドパーツあって、
前記中空体は、中空体外部、中空部及び中空体外部へと通じる互いに対向する貫通孔と、
当該貫通孔の位置に対して、直交する位置に複数の穿孔を設けるとともに当該穿孔を利用して中空体外部と中空部に突出した状態で環を設けてなり、
前記弾性体は、挿通孔を有するＯリング状として複数個用いるとともに当該弾性体のそれぞれは前記環を介して前記中空部に設けてなることを特徴とした装身用スライドパーツ。
【請求項２】
請求項１に記載された装身用スライドパーツであって、前記穿孔を対向する位置に設けるとともに当該穿孔を利用して対抗する中空体外部に突出した状態で環を設けてなることを特徴とした装身用スライドパーツ。
【請求項３】
請求項１に記載された装身用スライドパーツであって、
前記中空の外郭体は、中空体外部、中空部及び中空体外部へと通じる互いに対向する貫通孔と、
当該貫通孔の位置に対して、直交する位置に複数の穿孔を設けるとともに当該穿孔を利用して中空体外部と中空部に突出した状態でＵ字状部材を固着して設けてなり、
前記弾性体は、挿通孔を有するＯリング状として複数個用いるとともに当該弾性体のそれぞれは前記Ｕ字状部材を介して前記中空部に設けてなることを特徴とした装身用スライドパーツ。
【請求項４】
請求項１に記載された装身用スライドパーツであって、
前記中空の外郭体は、中空体外部、中空部及び中空体外部へと通じる互いに対向する貫通孔と、
当該貫通孔の位置上に１または複数の穿孔を設けるとともに当該穿孔を利用して中空体外部と中空部に突出した状態で一端に環を有し他端は長手方向の断面が方形の部材を固着して設けてなり、
前記弾性体は、挿通孔を有するＯリング状として複数個用いるとともに当該弾性体のそれぞれは前記部材を介して前記中空部に設けてなることを特徴とした装身用スライドパーツ。
【考案の詳細な説明】
【技術分野】
【０００１】
本考案は、装身用ネックレス、ブレスレット等の輪の大きさを自由に変えられるスライドパーツに関するものである。
【背景技術】
【０００２】
従来、装身用ネックレス、ブレスレット等の輪径の大きさを自由に変えられる金具類においては数多くの提案がされている。
【０００３】
例えば、装身用鎖を挿通して留める留め具であって、球状その他の形状をしていて、装身用鎖を挿通する貫通孔を有しており、しかも内部には、装身用鎖が脱けるのを防止する弾性部材が入っている。このように、装身用鎖を挿通する貫通孔が開いており、また挿通された装身用鎖を保持し、抜けるのを防止する弾性部材が内蔵されているので、装身用鎖を挿通すると、その位置に装身用鎖と留め具とが固定される。したがって、装身用鎖に対して留め具を任意の位置に固定して、留め具によって変化を持たせた使い方ができる装身用鎖の留め具がある（例えば特許文献１参照。）。
【０００４】
また、外殻体と、弾性体とを含む止め具であって、前記外殻体は、孔と、中空部とを有し、前記孔は、前記外殻体の外部から前記中空部へ通じており、前記弾性体は、通孔部を有し、前記中空部に内蔵されており、前記通孔部は、前記孔に通じており、前記弾性体は、複数個であり、それぞれは、前記中空部内で積層されている止め具がある（例えば特許文献２参照。）。
【０００５】
また、貫通される装飾チェーンの直径より大きな貫通孔の貴金属製パイプの中に弾性材チューブを一体に嵌合した素材を軸周りに間欠的に回転させながら軸方向に間欠的に移動させる間に、前記移動方向の後方側から前方側に行くに従って順次半殻体の形状に近づくように複数の凹型を形成した一対の金型により間欠的にプレスして、殻体の中に、中空の弾性材を有するデザインパーツを連接して形成し、この連接して形成されたデザインパーツを連接部分から切り離し、前記連接部分の前記弾性材に自己収縮力による装飾チェーンの直径より小さな貫通孔を設けてなることを特徴とする装飾チェーン用のデザインパーツがある（例えば特許文献３参照。）。
【０００６】
また、略中空球形状に形成される外殻体と、この外殻体内に予め内装される弾性を有する略厚肉円筒状のゴムパイプとを備え、外殻体には下部透孔と上部透孔を対向位置に設け、ゴムパイプは、外殻体の透孔より太く且つ外殻体内壁面の内径より細く形成されると共に、その外周表面に於ける筒心方向両端部分が外殻体の内壁面に当接状態となるように内装され、ゴムパイプの貫通孔部分は、紐・チェーン類を弾性圧迫可能となり、透孔より小さく形成されると共に、一対の透孔を結ぶ線上に略位置するよう形成した装身用紐・チェーン等の止め具がある（例えば特許文献４参照。）。
【０００７】
しかしながら、前記特許文献全ての発明の主な使用方法として、内部に弾性体を有する中空の外郭体の外部に連結環をロー付け等で溶着し、該連結環を介して引輪金具等を連結する方法が用いられている。
【０００８】
上記の中空の外郭体の外部に連結環をロー付けでの固着方法は、中空の外郭体が高温で熱せられるために中空の外郭体の硬度が低くなるために合金の地金素材であるＫ１８、Ｐｔ８５０等には使用可能であるが、純金、純プラチナ地金素材で用いた場合、例えば、純金地金素材の中空の外郭体は、ロー付け前の硬度は７５〜８５Ｈｖ、ロー付け後の硬度は３０〜４０Ｈｖとなり、該硬度では中空の外郭体が軟らかく変形する問題がある。
【０００９】
また、レーザー・プラズマを用いて純金地金素材の中空の外郭体に連結環を溶着した場合、純金素材は反射率が高いために溶着強度が弱い問題が有る。
【００１０】
また、特許文献２を除く他の特許文献の発明は、中空の外郭体に内部に配置される弾性体は１個のみ用いる構成であるため、長年の使用に際しては、当該弾性体が破損し易い問題がある。
【先行技術文献】
【特許文献】
【００１１】
【特許文献１】登録実用新案第３０４２０７１号公報
【特許文献２】特許第２９７１４５３号公報
【特許文献３】特許第３６０８１５０号公報
【特許文献４】特許第３７６０２８４号公報
【考案の概要】
【考案が解決しようとする課題】
【００１２】
解決しようとする問題点は、前記特許文献の欠点を解消すべく、純地金素材及び合金地金素材の貴金属地金素材に対応できるとともに中空の外郭体の内部に弾性体を複数個配置させることで操作性を良くし、しかも、構成が簡素で、製造し易く、経済的にも優れた商品の提供をしようとするものである。
【課題を解決するための手段】
【００１３】
前記目的を達成するために、請求項１に係る装身用スライドパーツにあっては、
中空の外郭体は、中空体外部、中空部及び中空体外部へと通じる互いに対向する貫通孔と、当該貫通孔の位置に対して、直交する位置に該貫通孔をまたぐ様に複数の穿孔を設けるとともに当該穿孔を利用して中空体外部と中空部に突出した状態で環を設け、
弾性体は、挿通孔を有するＯリング状として複数個用いるとともに当該弾性体のそれぞれは前記環を介して前記中空部に設けてなるものである。
【００１４】
また、請求項２に係る装身用スライドパーツにあっては、
中空の外郭体は、中空体外部、中空部及び中空体外部へと通じる互いに対向する貫通孔と、当該貫通孔の位置に対して、直交する位置に該貫通孔をまたぐ様に複数の穿孔を対向する位置に設けるとともに当該穿孔を利用して対抗する中空体外部に突出した状態で環を設け、
弾性体は、挿通孔を有するＯリング状として複数個用いるとともに当該弾性体のそれぞれは前記環を介して前記中空部に設けてなるものである。
【００１５】
また、請求項３に係る装身用スライドパーツにあっては、
中空の外郭体は、中空体外部、中空部及び中空体外部へと通じる互いに対向する貫通孔と、当該貫通孔の位置に対して、直交する位置に該貫通孔をまたぐ様に複数の穿孔を設けるとともに当該穿孔を利用して中空体外部と中空部に突出した状態でＵ字状部材を固着して設けてなり、前記弾性体は、挿通孔を有するＯリング状として複数個用いるとともに当該弾性体のそれぞれは前記Ｕ字状部材を介して前記中空部に設けてなるものである。
【００１６】
また、請求項４に係る装身用スライドパーツにあっては、
中空の外郭体は、中空体外部、中空部及び中空体外部へと通じる互いに対向する貫通孔と、当該貫通孔の位置上に１または複数の穿孔を設けるとともに当該穿孔を利用して中空体外部と中空部に突出した状態で一端に環を有し他端は長手方向の断面が方形の部材を固着して設けてなり、前記弾性体は、挿通孔を有するＯリング状として複数個用いるとともに当該弾性体のそれぞれは前記部材を介して前記中空部に設けてなるものである。
【考案の効果】
【００１７】
本考案の装身用スライドパーツは、中空の外郭体の穿孔を利用して中空体外部と中空部に突出した状態又は貫通した状態で環又は部材を設けることで、純地金素材及び合金地金素材の貴金属地金素材に対応できることが可能となった。
【００１８】
また、中空の外郭体の穿孔を利用して中空体外部と中空部に突出した状態又は貫通した状態で環又は部材を設けて弾性体のそれぞれを前記環又は部材を介して中空の外郭体の内部に弾性体を複数個配置させることで、操作性を良くし、しかも、構成が簡素で、製造し易く、経済的にも優れた商品の提供が可能となった。
【図面の簡単な説明】
【００１９】
【図１】本考案の装身用スライドパーツに引輪を連結した状態を示す図である。
【図２】本考案の請求項１に係る装身用スライドパーツの断面図を示す。
【図３】本考案の請求項２に係る装身用スライドパーツの断面図を示す。
【図４】本考案の請求項３に係る装身用スライドパーツの断面図を示す。
【図５】本考案の請求項４に係る装身用スライドパーツの断面図を示す。
【図６】本考案の装身用スライドパーツを用いてネックレスを形成した実施例を示す斜視図である。
【考案を実施するための形態】
【００２０】
中空の外郭体の穿孔を利用して中空体外部と中空部に突出した状態又は貫通した状態で環などを設けて弾性体のそれぞれを、前記環などを介して中空の外郭体の内部に弾性体を複数個配置可能とすることで、操作性を良くし、しかも、構成が簡素で、製造し易い装身用スライドパーツを提供するという目的を、以下において、図面に基づいて説明する。
【実施例】
【００２１】
図１は、本考案の請求項１に係る装身用スライドパーツ１０に引輪５０を連結した状態を（Ａ）正面図、（Ｂ）側面図としてチェーン６０を想像線で示した図であり、
（Ａ）に示した装身用スライドパーツ１０は、中空の外郭体１に互いに対向する貫通孔４と、当該貫通孔の位置に対して、直交する位置に該貫通孔をまたぐ様に２箇所の穿孔５ａ、５ｂを設けるとともに当該穿孔を利用して環６を設けて、中空の外郭体１の体内にＯリング状の弾性体７を２個に設けた後、連結環５３を介して引輪５０と連結して構成した状態を示す。
尚、本考案の弾性体は、Ｏリング状の弾性ゴムであるエラストマーゴム（ウレタンゴム、シリコ―ンゴム、フッ素ゴム、など）を一種又は２種の組み合わせにて用いることができる。
【００２２】
（Ｂ）は、（Ａ）にチェーン６０を想像にて挿通した状態を示し、装身用スライドパーツ１０は、弾性体７の弾性力を利用して挿通孔８を通るチェーンに摩擦抵抗を生じさせ
任意のチェーン上の位置にて係止することができる。
【００２３】
図２、は、図１に示した装身用スライドパーツ１０の断面図示したもので、図２（ａ）は、中空の外郭体１を示し、中空の外郭体は、中空体外部２、中空部３及び中空体外部２へと通じる互いに対向する貫通孔４と、当該貫通孔の位置に対して、直交する位置に該貫通孔をまたぐ様に穿孔５ａ、５ｂを設けて形成した。
【００２４】
図２（ｂ）、（ｃ）は、本考案の請求項１に係る装身用スライドパーツ１０の正面断面、側面断面を図示し、中空の外郭体１は、中空体外部２、中空部３及び中空体外部２へと通じる互いに対向する貫通孔４ａ、４ｂと、当該貫通孔の位置に対して、直交する位置に該貫通孔をまたぐ様に穿孔５ａ、５ｂを設けるとともに当該穿孔を利用して中空体外部と中空部に突出した状態で環６を設け、
弾性体７ａ、７ｂの夫々は、挿通孔８ａ、８ｂを有するＯリング状の弾性ゴムとして２個用いるとともに当該弾性体は、環６を介して中空部３に配置することで装身用スライドパーツ１０を構成できる。
【００２５】
図３は、本考案の請求項２に係る装身用スライドパーツ２０に係る実施例の断面を図示したもので、（ｄ）は中空の外郭体１１を示し、中空の外郭体１１は、中空体外部１２、中空部１３及び中空体外部１２へと通じる互いに対向する貫通孔１４と、当該貫通孔の位置に対して、直交する位置に穿孔１５ａ、１５ｂ、１５ｃ、１５ｄを対向する位置に該貫通孔をまたぐ様に設けて形成した。
【００２６】
図３（ｅ）、（ｆ）は、（ｄ）に図示した中空の外郭体１１を用いて構成した装身用スライドパーツ２０の正面断面、側面断面を図示し、
中空の外郭体１１は、中空体外部１２、中空部１３及び中空体外部１２へと通じる互いに対向する貫通孔１４ａ、１４ｂと、当該貫通孔の位置に対して、直交する位置に該貫通孔をまたぐ様に穿孔１５ａ、１５ｂ、１５ｃ、１５ｄを対向する位置に設けるとともに当該穿孔を利用して対抗する中空体外部１２に突出した状態で環１６を設け、
弾性体１７ａ、１７ｂの夫々は、挿通孔１８ａ、１８ｂを有するＯリング状の弾性ゴムとして２個用いるとともに当該弾性体は、環１６を介して中空部１３に配置することで装身用スライドパーツ２０を構成できる。
【００２７】
図４は、本考案の請求項３に係る装身用スライドパーツ３０に係る実施例の断面を図示したもので、（ｇ）は中空の外郭体２１を示し、中空の外郭体２１は、中空体外部２２、中空部２３及び中空体外部２２へと通じる互いに対向する貫通孔２４と、当該貫通孔の位置に対して、直交する位置に該貫通孔をまたぐ様に穿孔２５ａ、２５ｂを設けて形成した。
【００２８】
図４は、（ｈ）、（ｉ）は、（ｇ）に図示した中空の外郭体２１を用いて構成した装身用スライドパーツ３０の正面断面、側面断面を図示し、
中空の外郭体２１は、中空体外部２２、中空部２３及び中空体外部２２へと通じる互いに対向する貫通孔２４と、当該貫通孔の位置に対して、直交する位置に該貫通孔をまたぐ様に穿孔２５ａ、２５ｂを設けるとともに当該穿孔を利用して中空体外部２２と中空部２３に突出した状態でＵ字状部材２６をレーザー溶接にて固着して設け、
弾性体２７ａ、２７ｂの夫々は、挿通孔２８、２８ｂを有するＯリング状の弾性ゴムとして２個用いるとともに当該弾性体は、Ｕ字状部材２６を介して中空部２３に配置することで装身用スライドパーツ３０を構成できる。
【００２９】
図５は、本考案の請求項４に係る装身用スライドパーツ４０に係る実施例の断面を図示したもので、（ｊ）は中空の外郭体３１を示し、
中空の外郭体３１は、中空体外部３２、中空部３３及び中空体外部３２へと通じる互いに対向する貫通孔３４と、当該貫通孔の位置上に穿孔３５を設けて形成した。
【００３０】
図５は、（ｋ）、（ｌ）は、（ｊ）に図示した中空の外郭体３１を用いて構成した装身用スライドパーツ４０の正面断面、側面断面を図示し、
中空の外郭体３１は、中空体外部３２、中空部３３及び中空体外部３２へと通じる互いに対向する貫通孔３４と、当該貫通孔の位置上に穿孔３５を設けるとともに当該穿孔を利用して中空体外部３２と中空部３３に突出した状態で一端に環を有し他端は長手方向の断面が方形の部材３６をレーザー溶接にて固着して設け、
弾性体３７ａ、３７ｂは、挿通孔３８ａ、３８ｂを有するＯリング状の弾性ゴムとして２個用いるとともに当該弾性体は、部材３６を介して中空部３３に配置することで装身用スライドパーツ４０を構成できる。
【００３１】
上記の実施例では穿孔３５を１箇所としたが、図示はしないが、対向する位置に設けて環３５を２個設けることで下げ飾りを連結させることができる。
【００３２】
図６は、本考案の請求項１に係る装身用スライドパーツ１０を用いてネックレスを形成した一実施形態を示す斜視図であり、連結環５３を介して引輪５０を連結した装身用スライドパーツ１０に挿通させたチェーン６０の一端に抜け防止飾りプレート５２を連結、他端には連結プレート５１を連結し、引輪５０と連結プレート５１を連結することでネックレスの輪を形成することができる。
【００３３】
尚、図１及び図６において、装身用スライドパーツ１０に連結環５３を介して引輪５０を連結した実施例としたが、該実施例は限定するものではなく、例えば、装身用スライドパーツ１０に連結環５３を介して連結プレート５１を連結しても良く、その場合、チェーン６０の他端に引輪５０を連結することでネックレスの輪を形成することができる。
【００３４】
ネックレスの輪の大きさを変えるには、装身用スライドパーツ１０をチェーン６０の長手方向に沿って摺動させることで、弾性体である弾性ゴムの弾性力を利用して弾性体の挿通孔を通るチェーンに摩擦抵抗を生じさせ任意のチェーン上の位置にて係止することができる。
【符号の説明】
【００３５】
１、１１、２１、３１      中空の外郭体
２、１２、２２、３２      中空体外部
３、１３、２３、３３      中空部
４、１４、２４、３４      貫通孔
５、１５、２５、３５      穿孔
６、１６                  環
２６                        Ｕ字状部材
３６                        部材
７、１７、２７、３７      弾性体
８、１８、２８、３８      挿通孔
１０、２０、３０、４０      装身用スライドパーツ
５０                        引輪
５１                        連結プレート
５２                        抜け防止飾りプレート
５３                        連結環
６０                        チェーン
７０                        ネックレス
【図１】
0003156269.tif 000003
【図２】
0003156269.tif 000004
【図３】
0003156269.tif 000005
【図４】
0003156269.tif 000006
【図５】
0003156269.tif 000007
【図６】
0003156269.tif 000008
【手続補正書】
【提出日】平成21年10月15日(2009.10.15)
【手続補正１】
【補正対象書類名】実用新案登録請求の範囲
【補正対象項目名】請求項１
【補正方法】変更
【補正の内容】
【請求項１】
中空の外郭体内に弾性体を内蔵し、装飾用チェーン上を自由に摺動、且つ、途中で係止できることによりネックレス等の輪径を容易に変える事が可能な装身用スライドパーツあって、
前記中空の外郭体は、中空体外部、中空部及び中空体外部へと通じる互いに対向する貫通孔と、
当該貫通孔の位置に対して、直交する位置に複数の穿孔を設けるとともに当該穿孔を利用して中空体外部と中空部に突出した状態で環を設けてなり、
前記弾性体は、挿通孔を有するＯリング状として複数個用いるとともに当該弾性体のそれぞれは前記環を介して前記中空部に設けてなることを特徴とした装身用スライドパーツ。
【手続補正２】
【補正対象書類名】実用新案登録請求の範囲
【補正対象項目名】請求項２
【補正方法】変更
【補正の内容】
【請求項２】
請求項１に記載された装身用スライドパーツであって、前記穿孔を対向する位置に設けるとともに当該穿孔を利用して対向する中空体外部に突出した状態で環を設けてなることを特徴とした装身用スライドパーツ。